(57)【要約】    【課題】  本発明は、使用済みペットボトルを有効に再利用しつつ、容易にペットボトルからティーバッグなどを取り出すことを可能とするペットボトル用キャップを提供することを課題とする。    【解決手段】  本発明に係るペットボトル用キャップ１は、飲料用ペットボトルのキャップであって、キャップ１本体の内側天面１ａに、ティーバッグ７を着脱可能に保持する保持手段３を備えていることを特徴とする。【選択図】図１
2006335411.tif 000002
【特許請求の範囲】
【請求項１】
飲料用ペットボトルのキャップであって、
キャップ本体の内側天面に、ティーバッグを着脱可能に保持する保持手段を備えていることを特徴とするペットボトル用キャップ。
【請求項２】
前記保持手段は、引掛部によって構成されることを特徴とする請求項１に記載のペットボトル用キャップ。
【請求項３】
前記引掛部は、ティーバッグの吊設部を挿入するための挿入部を有するリング状とされ、該挿入部が前記引掛部の保有弾性によって閉じられていることを特徴とする請求項２に記載のペットボトル用キャップ。
【請求項４】
前記保持手段は、挟掴部によって構成されることを特徴とする請求項１に記載のペットボトル用キャップ。
【請求項５】
前記挟掴部は、該挟掴部の保有弾性によって対象物を挟むことができるよう構成されていることを特徴とする請求項４に記載のペットボトル用キャップ。
【請求項６】
前記保持手段は、キャップ本体の開口面の外側の位置で前記ティーバッグを着脱可能とするように、キャップ本体の開口面から突出して形成されていることを特徴とする請求項１から５に記載のペットボトル用キャップ。
【請求項７】
前記保持手段は、前記キャップ本体と一体的に形成されていることを特徴とする請求項１から６に記載のペットボトル用キャップ。
【発明の詳細な説明】
【技術分野】
【０００１】
本発明は、ペットボトル用キャップに関するものである。
【背景技術】
【０００２】
ペットボトルは、軽くて持ちやすく、また、衝撃に強く落としても割れにくいという特徴を有しており、さらには、ペットボトルは通常キャップを有しており、該キャップを閉めることにより、内容物をこぼさずに持ち運びや保管ができるために、飲料用容器として非常に利便性があり、大量に使用されている。
【０００３】
この使用済みペットボトルを一般家庭内で有効に再利用する方法が種々存在し、その一つとして、使用済みである空のペットボトルに細長いティーバッグ及び水等を入れることにより、使用済みのペットボトルで再度お茶等を作ること等が提案されている（例えば特許文献１参照）。
【特許文献１】実用新案登録第３１０１０８９号公報
【発明の開示】
【発明が解決しようとする課題】
【０００４】
しかしながら、上記の構成では、使用済みペットボトルにティーバッグを入れているので、再度作ったお茶などを飲み干した後にペットボトルを捨てる際は、ゴミの分別のためにペットボトルからティーバッグを取り出すことが必要であるが、その作業は困難である。また、お茶の濃度が濃くなりすぎるのを防ぐ等の理由のために、ペットボトルにお茶等が満たされている状態でティーバッグを取り出すことは非常に困難である。
【０００５】
そこで、本発明は、使用済みペットボトルを有効に再利用しつつ、容易にペットボトルからティーバッグなどを取り出すことを可能とするペットボトル用キャップを提供することを課題とする。
【課題を解決するための手段】
【０００６】
前記課題を解決するための手段として、本発明に係るペットボトル用キャップは、飲料用ペットボトルのキャップであって、キャップ本体の内側天面に、ティーバッグを着脱可能に保持する保持手段を備えていることを特徴とする。
【０００７】
前記保持手段は、引掛部によって構成することができ、この引掛部は、ティーバッグの吊設部を挿入するための挿入部を有するリング状とされ、該挿入部が前記引掛部の保有弾性によって閉じられていることが好ましい。
【０００８】
また、前記保持手段は、挟掴部によって構成されていてもよく、この挟掴部は、該挟掴部の保有弾性によって対象物を挟むことができるよう構成されていることが好ましい。
【０００９】
さらに、前記保持手段は、キャップ本体の開口面の外側の位置で前記ティーバッグを着脱可能とするように、キャップ本体の開口面から突出して形成されていることが好ましい。
【００１０】
また、前記保持手段は、前記キャップ本体と一体的に形成されていることが好ましい。
【発明の効果】
【００１１】
本発明によれば、ペットボトル用キャップが、その本体の内側天面に保持手段を有しているため、ペットボトルから容易にティーバッグを取り出すことが可能となる。
【００１２】
また、保持手段を引掛部によって構成して、その引掛部を挿入部を有するリング状とし、その保有弾性によって挿入部を閉じるよう構成することで、吊設部である輪が形成された紐が取り付けられたティーバッグや、孔が設けられたティーバッグを、容易に保持手段に着脱させることができる。
【００１３】
さらには、保持手段を挟掴部で構成し、その挟掴部をその保有弾性により対象物を挟むことができるよう構成すれば、吊設部を輪が形成されていない紐とした通常のティーバッグであっても、該紐を挟むことにより保持手段に着脱させることができ、汎用性の向上を図ることができる。
【００１４】
また、キャップ本体の開口面の外側の位置でティーバッグを着脱可能とすることで、より容易にティーバッグを着脱させることができる。
【００１５】
さらには、保持手段をキャップ本体と一体的に形成することにより、工程数を減らすことができ、製造コストの低減化を図ることができる。
【発明を実施するための最良の形態】
【００１６】
以下、本発明に係るペットボトル用キャップの実施形態について添付図面に基づいて説明する。図１は、キャップの断面図であり、図２は、ペットボトルにキャップを取り付けた際の全体図である。
【００１７】
図１及び２に示すように、本実施形態に係るペットボトル用キャップ１は、通常市販されているペットボトル５の口部５ａに形成されているネジ部と螺合できるよう、内側側面１ｂにネジ部１ｃが形成されている。また、キャップ１は、内側天面１ａに、キャップ１本体と一体的に形成された保持手段である引掛部３を備えている。この引掛部３は、ティーバッグ７の吊設部７ａを挿入するための挿入部３ａを有するリング状とされ、その保有弾性によって挿入部３ａは閉じられている。また、図１に示すように、挿入部３ａは、ティーバッグ７の吊設部７ａを挿入しやすくするために、曲折部３ｂを有している。
【００１８】
ここで引掛部３は、その挿入部３ａがキャップ１本体の開口面１ｅの外側の位置でティーバッグ７を着脱可能とするように、キャップ１本体の開口面１ｅから突出して形成されている。
【００１９】
また、キャップ１の材料は、通常ペットボトルのキャップに使用される材料を使用すれば良く、例えば、ポリプロピレン等を挙げることができる。
【００２０】
図２に示すように、ティーバッグ７は、吊設部７ａを備えており、該吊設部７ａがリング状の引掛部３に引っ掛けられるよう構成されている。なお、本実施形態では、吊設部７ａは、輪を形成した紐としている。ここで、吊設部７ａは、紐の代わりに、それ自体に孔を設けて吊設部３ａとしてもよい。なお、この場合は、図３に示すように、引掛部３が充分に長さを有しており、ティーバッグ７をペットボトル５の中央付近に位置させることが好ましい。
【００２１】
次に、上記構成によるキャップ１の使用方法を図１，２及び４を参照しつつ説明する。
【００２２】
まず、図１に示すように、引掛部３は、その保有弾性により挿入部３ａが閉じられていることにより、リング状に形成されている。ここで、手でその保有弾性による付勢力に抗して挿入部３ａを開く、又は、ティーバッグ７の吊設部７ａを押し込んで挿入部３ａを開く等して、ティーバッグ７の吊設部７ａをリング状に閉じられた引掛部３内に通す。こうすることにより、図４に示すように、吊設部７ａがリング状の引掛部３に引っ掛かり、ティーバッグ７はキャップ１に吊り下げられた状態となる。なお、引掛部３の挿入部３ａが、キャップ１本体の開口面１ｅより下側に位置するよう構成しているために、吊設部７ａを引掛部３に引っ掛けやすくなっている。
【００２３】
そして、ペットボトル５の口部５ａからティーバッグ７を挿入し、続けて水又はお湯を口部５ａからペットボトル５内に入れる。その後、図２に示すように、キャップ１をペットボトル５の口部５ａに螺合させることにより、ペットボトル５内を密閉させる。なお、水又はお湯をペットボトル５内に入れた後に、ティーバッグ７をペットボトル５内に挿入してもよい。ここで、引掛部３はその保有弾性により挿入部が閉じられてリング状に形成されているため、吊設部７ａは、ペットボトル５内を満たす液状物に浮く等しても、引掛部３から外れることがない。
【００２４】
そして、この水又はお湯とティーバッグ７とが入ったペットボトル５をそのまま所定時間放置するか、振るなどして、ティーバッグ７から茶成分を十分抽出させて、ペットボトル５内にお茶を作る。ここで、茶成分を十分抽出させたティーバッグ７が不要になった場合、キャップ１を外すと、吊設部７ａが引掛部３に引っ掛かっているためにティーバッグ７がペットボトル５内から取り出される。そして、前述した方法で挿入部３ａを開き、吊設部７ａを引掛部３から外すことによってティーバッグ７をキャップ１から取り外す。ティーバッグ７が取り外されたキャップ１を、再度ペットボトル５の口部５ａに螺合させてペットボトル５内を密閉することにより、ペットボトル５内のお茶をこぼさずに持ち運びや保管などが可能となる。
【００２５】
このようにペットボトル５内にお茶などの飲料物が満たされた状態でも、ティーバッグ７をペットボトル５内から取り出すことができるため、例えばペットボトル５内のお茶を飲むためにペットボトル５の口部５ａを下に向けたときに、ティーバッグ７がペットボトル５の口部５ａ内側で詰まり、お茶が口部５ａから流出しづらいといったような問題を防ぐことができる。
【００２６】
以上、本発明の実施形態について説明したが、本発明はこれに限定されるものではなく、その趣旨を逸脱しない限りにおいて種々の変更が可能である。例えば、上記実施形態では、キャップは、その内側天面１ａに保持手段として引掛部３を備えていたが、引掛部の代わりに、図５に示すように、キャップ１はその内側天面１ａに保持手段として挟掴部３１を有していても良い。挟掴部３１は、その保有弾性により対象物を挟むことができるように構成されている。
【００２７】
このように、保持手段を挟掴部３１とすることにより、ティーバッグの吊設部として、通常のティーバッグに取り付けられている、輪が形成されていない紐を利用することができるため、汎用性を向上させることが可能となる。
【００２８】
また、ペットボトル用キャップ１の保持手段は上述した形状以外にも種々の形状を取ることができ、ティーバッグ７がペットボトル５内に入れられて、吊設部７ａがペットボトル５内を満たす液状物に浮いたときに引掛部３から外れにくい形状であればよい。例えば、図６に示すように、引掛部３を、吊設部を通すために一部が欠けたＯ形状（ａ）としたり、渦形状（ｂ）とすることができる。
【００２９】
また、上述した実施形態では、キャップ１本体と引掛部３とは一体的に形成されているが、引掛部３はキャップ１の内側天面１ａに種々の方法で取り付けることができる。例えばキャップ１本体と引掛部３とを別々に形成し、引掛部３を接着剤などによりキャップ１の内側天面１ａに取り付けたり、又は、引掛部３の内側天面１ａ側の端をネジ形状とし、引掛部３をキャップ１本体に螺合させて取り付けてもよい。
【図面の簡単な説明】
【００３０】
【図１】本発明に係るペットボトル用キャップの実施形態を示す正面断面図である。
【図２】本発明に係るペットボトル用キャップをペットボトルに取り付けた状態を示す斜視図である。
【図３】本発明に係るペットボトル用キャップの他の実施形態を示す正面断面図である。
【図４】本発明に係るペットボトル用キャップの使用方法を示す斜視図である。
【図５】本発明に係るペットボトル用キャップのさらに他の実施形態を示す正面断面図である。
【図６】本発明に係るペットボトル用キャップのさらに他の実施形態を示す正面断面図である。
【符号の説明】
【００３１】
１  キャップ
１ａ  キャップ本体の内側天面
１ｅ  キャップ本体の開口面
３  引掛部
３１  挟掴部
３ａ  挿入部
５  ペットボトル
７  ティーバッグ
７ａ  吊設部
【図１】
2006335411.tif 000003
【図２】
2006335411.tif 000004
【図３】
2006335411.tif 000005
【図４】
2006335411.tif 000006
【図５】
2006335411.tif 000007
【図６】
2006335411.tif 000008